(57)【特許請求の範囲】
【請求項１】
嵌め込み部と主表示部とからなる台紙部の前記嵌め込み部に、帯の両短辺の縁部を貼り合せて筒状に形成し、前記帯の長さ方向の相対する両辺に設けた保持片を内側に折り曲げて前記帯の裏面と前記保持片とで小袋を保持した帯状部を筒状から平面状に折り畳んだ状態で前記嵌め込み部に嵌め込んで形成していることを特徴とする小袋付き台紙。
【請求項２】
前記嵌め込み部の側辺にストッパーを設けて前記帯状部が抜け出すことを防いでいることを特徴とする請求項１に記載の小袋付き台紙。
【請求項３】
前記帯を嵌め込み部の一方の側辺で二つ折りにし、他方の側辺より伸び出した前記帯の両短辺の縁部の前記側辺の隣接した部位で貼り合せて前記嵌め込み部に嵌め込んだ形状としたことを特徴とする請求項１又は２に記載の小袋付き台紙。
【発明の詳細な説明】
【０００１】
【発明の属する技術分野】
本発明は、化粧品、食品などの試供品などを充填した小袋と内容物の商品説明、広告などを印刷した台紙とを一体とした小袋付き台紙に関するものである。
【０００２】
【従来の技術】
従来より、化粧品、薬品、健康食品、食品などを試供品として顧客に提供するためには、その商品の中身を少量だけ充填した小袋を、店頭、イベント場などで配布している。この時に、中身の商品の内容説明、効能、使用法などの商品説明、広告などは別紙に表示して、小袋と共に顧客一人一人に配布している。しかし、試供品の小袋と商品説明、広告などの資料とを別々の状態で顧客に配布すると、小袋の商品説明などの印刷表示が行われていればよいが、行われていない場合には、多くの試供品が配布された場合、試供品の小袋と商品説明、広告などの資料が一致しなくなり、配布された試供品の内容物が不明になるなど宣伝効果を失ってしまうという問題がある。従って、顧客にとっては、試供品の小袋と商品説明、広告などの資料が一体となっている形態が便利で、好ましいものとなっている。その点を考慮した形態として、台紙に直接試供品の小袋などを接着したもの、台紙に切り込みを設けて小袋などを差し込んで固定したものなどがある。
【０００３】
【発明が解決しようとする課題】
しかしながら、従来の台紙に直接試供品の小袋などを接着した形態、台紙に切り込みを設けて小袋などを差し込んで固定した形態などでは、新規性が乏しく、さらに、外観上、機能上新しい形態のものが求められている。
【０００４】
本発明は、かかる従来技術の問題点を解決するものであり、試供品の小袋と商品説明、広告などを印刷した台紙とを一体とした新規性のある小袋付き台紙を提供することにある。
【０００５】
【課題を解決するための手段】
上記課題を達成するために、本発明は、嵌め込み部と主表示部とからなる台紙部の前記嵌め込み部に、帯の両短辺の縁部を貼り合せて筒状に形成して小袋を保持した帯状部を折り畳んだ状態で嵌め込んでなることを特徴とする小袋付き台紙であり、前記帯の長さ方向の相対する両辺に保持片を設け、該保持片を内側に折り曲げて前記帯の裏面と前記保持片とで前記小袋を保持していることを特徴としている。
【０００６】
また、前記嵌め込み部の側辺にストッパーを設けて前記帯状部が抜け出すことを防いでいることを特徴とし、さらに、前記帯を嵌め込み部の一方の側辺で二つ折りにし、他方の側辺より伸び出した前記帯の両短辺の縁部の前記側辺の隣接した部位で貼り合せて筒状としたことを特徴としている。
【０００７】
本発明によれば、試供品の小袋を帯状部で保持して台紙部に嵌め込むことによって、試供品の小袋と商品説明、広告などを印刷した台紙とを一体とした小袋付き台紙を提供することができる。
【０００８】
【発明の実施の形態】
以下に、本発明の実施の形態を図面を用いて詳細に説明する。図１は、本発明の小袋付き台紙の実施の形態の一実施例を示す斜視図である。小袋付き台紙１は、表裏に商品説明、広告などを印刷することが可能な台紙部１０と、試供品を充填した小袋３０を包んで台紙部１０に嵌め込んで固定する帯状部２０とから構成されている。
【０００９】
台紙部１０は、表面または／および裏面に商品説明、広告などが印刷された板状の台紙であり、帯状部２０を嵌め込んで固定する嵌め込み部１１と商品説明、広告などを印刷する主表示部１２とからなっている。全体の形状は、図２−ａに示すように、基本的には略長方形であるが、図２−ｂに示すように、主表示部１２の形状をデザイン的に変形してもよい。また、嵌め込んだ帯状部２０が抜け出しにくいように、嵌め込み部１１と主表示部１２の境界線の端部では段差を設け、他方の嵌め込み部１１には、嵌め込んだ帯状部２０が抜け出すことを防ぐストッパー１３を設けている。このストッパー１３は、嵌め込み部１１の側辺の両方の辺あるいは一方の辺に設ける。ストッパー１３の形状は、特に幻影されるものではないが、帯状部２０が嵌め込みやすくするという観点からは、半円形とすることが好ましい。
【００１０】
また、本発明の小袋付き台紙１を構成する上記台紙部１０の材料としては、  適度な厚みと剛性を有するものを使用するが、コートボール、コートマニラ、コートカードなどの適度な強度を有する板紙を好適に使用することができる。場合によってはプラスチックシートでもよい。その厚さは１００〜６００μｍがよく、台紙部１０のサイズなどバランスを考慮して適宜選定できる。
【００１１】
また、上記台紙部１０の表面または／および裏面に商品説明、広告などが印刷されるが、この印刷は、オフセット、グラビア、スクリーンあるいは凸版印刷のいずれの方法でも可能である。
【００１２】
つぎに、帯状部２０は、試供品などを充填した小袋３０を包んで台紙部１０に嵌め込んで固定するものであり、図３−ａに示すような帯２０ａの展開ブランクから両縁部を貼り合せるなどして連結して筒状の帯状部２０に作製する。台紙部１０の嵌め込み部１１には、図１に示すように、帯状部２０を折り畳んだ状態で、台紙部１０に密着した状態で嵌め込まれている。従って、折り畳んだ状態の帯状部２０の長さは、図３−ｂに示すように、台紙部１０の嵌め込み部１１の幅より少し大きく設定する。また、小袋３０を包んで保持するために、保持片２１を、帯状部２０の両方の側辺あるいは一方の側辺の一部に設けている。
【００１３】
また、この帯状部２０は、図３−ｃに示すように、横長の筒状あるいは袋状の帯２０ａの中に小袋３０を収納し保持して両縁部を貼り合せて筒状とする形状とすることもできる。
【００１４】
また、帯状部２０の材料としては、プラスチックフィルム、紙、合成紙などが使用される。包まれている小袋３０が、外から視認できるという観点からは、プラスチックフィルムを使用することが好ましい。使用後に廃棄する時の環境対応の観点からは、紙を使用することが好ましい。紙を使用する場合には、図３−ｄに示すように、包んだ小袋３０が外から視認できるように、窓部２２を設けることができる。
【００１５】
つぎに、小袋３０は、化粧品、薬品、健康食品、食品などを試供品として、その商品の少量だけ充填した小袋である。この小袋３０の形態としては、四方シール、三方シール、ピロータイプ、ガゼットタイプなどが可能であるが、帯状部２０に包んで台紙部１０に嵌め込むことから、厚みが薄い方が好ましい。また、小袋３０に用いる材料としては、通常のフレキシブルパッケージの袋に使用されるプラスチックフィルムの積層体が使用され、特に限定されるものではなく、充填される商品により適宜選定する。
【００１６】
実際に、本発明の小袋付き台紙１を作製する方法としては、まず、台紙部１０、帯状部２０、小袋３０をそれぞれ作製する。台紙部１０については、板紙などの板状の材料を用いて、表面または／および裏面に商品説明、広告などの印刷を公知の方法で行う。そして、一例である図２に示すような形状に打ち抜く。帯状部２０については、プラスチックフィルムなどを材料を用いて、一例である図３−ａに示すような形状に打ち抜く。そして、両縁部を接着剤を用いて貼り合せるか、熱接着性のある材料の場合は、熱シールにより貼り合せるてリング状とする。ステッチャーなどにより連結してもよい。
【００１７】
これらの台紙部１０、帯状部２０、小袋３０を用いて本発明の小袋付き台紙１を作製するが、まず、帯状部２０の内面側に小袋３０を設置し、小袋３０を覆うように保持片２１を内側に折り曲げる。つぎに、小袋３０を保持しながら帯状部２０を台紙部１０の嵌め込み部１１に嵌め込む。この時、嵌め込み部１１の辺に設けられたストッパー１３を乗り越えて嵌め込む必要があり、ず４に示すように、台紙部１０を撓ませながら嵌め込むようにする。
【００１８】
上記の方法以外に、あらかじめ筒状に形成しない状態の帯２０ａに小袋３０を保持して、その帯２０ａを、図５−ａに示すように、台紙部１０の嵌め込み部１１の一方の側辺で二つ折りにし、図５−ｂに示すように、他方の側辺から伸び出ている連結する縁部の嵌め込み部１１の側辺に隣接した部位Ｈで帯２０ａの両縁部を接着剤を用いるか、熱シールにより貼り合せて筒状にして帯状部２０を形成し、台紙部１０の嵌め込み部１１に嵌め込んだ状態とすることができる。この方法は、本発明の小袋付き台紙１の作製を自動化ラインで行う場合に適している。
【００１９】
本発明の小袋付き台紙１を受け取った消費者は、簡単に帯状部２０に保持されている小袋３０を取り出すことができる。
【００２０】
なお、本発明の小袋付き台紙では、収容するものを試供品を充填した小袋として説明したが、収容するものは特に限定するものではなく、帯状部に収容し保持できるものであればよく、特に偏平状の物体に適応することができるものである。
【００２１】
【発明の効果】
本発明は以上の構成であるから、下記に示す如き効果がある。即ち、試供品の小袋を帯状部で保持して台紙部に嵌め込むことによって、試供品の小袋と商品説明、広告などを印刷した台紙とを一体とした小袋付き台紙を容易に作製することができる。また、ＤＭ（ダイレクトメール）による宣伝にも有利であり、かつ、高級感に優れた小袋付き台紙とすることができる。
【図面の簡単な説明】
【図１】本発明の小袋付き台紙の実施の形態の一実施例を示す斜視図である。
【図２】本発明の小袋付き台紙の実施の形態の一実施例を構成する台紙部を示す展開図および側断面図である。
【図３】本発明の小袋付き台紙の実施の形態の一実施例を構成する帯状部を示す展開図などである。
【図４】本発明の小袋付き台紙の実施の形態の一実施例を作製する方法を示す斜視図である。
【図５】本発明の小袋付き台紙の実施の形態の一実施例を作製する他の方法を示す斜視図である。
【符号の説明】
１    小袋付き台紙
１０    台紙部
１１    嵌め込み部
１２    主表示部
１３    ストッパー
１４    境界線
２０    帯状部
２０ａ  帯
２１    保持片
２２    窓部
３０    小袋
Ｈ    接着部位
【図１】
0004289537.tif 000002
【図２】
0004289537.tif 000003
【図３】
0004289537.tif 000004
【図４】
0004289537.tif 000005
【図５】
0004289537.tif 000006